(57)【特許請求の範囲】
【請求項１】
下端を底部（６）で塞いだ筒状の胴部（４）の上端に、肩部（３）を介して円筒状の口筒部（２）が起立連設され、パリソンを用いて形成された合成樹脂製のブロー容器であって、
前記底部（６）に、底壁（８）の中心部を内方にドーム状に陥没された中央凹部（８ａ）が形成され、該中央凹部（８ａ）内に、成形時に形成されるパーティングライン（ＰＬ）に沿って延びる縦リブ状のピンチオフ部（９）と、該ピンチオフ部（９）の両側面から垂直に両方向に延びる複数の横リブ（１０）とが設けられると共に、一方向に延びる横リブ（１０）と他方向に延びる横リブ（１０）とが互い違いに配置され、
さらに前記中央凹部（８ａ）の外周側に環状の接地部（７）が周設されていることを特徴とするブロー容器。
【請求項２】
ピンチオフ部（９）及び横リブ（１０）の突出先端が、底壁（８）と接地部（７）との間に位置するように形成されている請求項１記載のブロー容器。
【請求項３】
横リブ（１０）の本数が左右共に３本とされている請求項１又は２に記載のブロー容器。
【請求項４】
隣接する横リブ（１０）間のピッチ寸法（Ｗ）が、５ｍｍ以上２０ｍｍ以下の範囲で形成されている請求項１ないし３のいずれか一項に記載のブロー容器。
【請求項５】
容器本体（１）が、複数の合成樹脂層を有する積層体（５）で形成されると共に、前記積層体（５）の一部が、ガスバリア性と遮光性の少なくとも一方を備える合成樹脂層で構成されている請求項１ないし４のいずれか一項に記載のブロー容器。
【発明の詳細な説明】
【技術分野】
【０００１】
本発明は、合成樹脂製のブロー容器、特にはピンチオフ部を有する底壁の膨出変形を抑制し、保形性及び自立性を高めることを可能とするブロー容器の底壁構造に関するものである。
【背景技術】
【０００２】
例えばコーヒーや紅茶などは、アルミニウムなどの金属容器を用いた所謂缶入り飲料の状態で販売されることが主流である。
このような缶入り飲料は、コンビニエンスストアーなどの小売店で専用の加熱装置（ホットウォーマーなど）内に入れて、あるいは自動販売機内において常時加熱した状態で販売されることがあるが、金属容器は熱伝導性が高いため加熱温度によっては熱く成り過ぎて手で掴持し難くなる場合があるという問題があった。
【０００３】
このような問題の少ない安価な容器としては、合成樹脂製容器を用いることが考えられるが、一般に合成樹脂製容器の主流を成すＰＥＴ製容器はガスバリア性や遮光性が低いため、酸化や紫外線等による品質低下（内容液の味落ち）の問題を抱えている。
【０００４】
そこで、ＰＥＴ製容器に代わる合成樹脂製容器として、積層構造を有することによって高いガスバリア性及び遮光性を備えたダイレクトブロー容器の利用が期待されている。
【０００５】
このようなダイレクトブロー容器としては、例えば以下の特許文献１に記載されているが、同文献に記載のブロー容器（積層ブロー壜体）は、押出成形した筒状の多層パリソンのブロー成形により成形され、口筒部２と肩部３と胴部４とパリソンのピンチオフによるシール部６が形成された底部５を有し、外殻を形成する外層１１の内側に遮光機能を発揮する遮光層１２を積層して構成されている。
【先行技術文献】
【特許文献】
【０００６】
【特許文献１】特開平２０１１−２１３３７０号公報
【発明の概要】
【発明が解決しようとする課題】
【０００７】
しかし、特許文献１に示すようなブロー容器にコーヒーや紅茶などを充填して専用の加熱装置や自動販売機に入れて加熱すると、内圧の上昇によってブロー容器の底部に膨出変形が起こり、その結果自立性が低下して転倒する虞があるという問題があった。
【０００８】
またピンチオフ部に内圧の上昇による底割れ現象が起きる虞もある。
【０００９】
本発明は、上記した従来技術における問題点を解消すべく、ブロー容器において、加熱時の内圧の上昇による膨出変形や底割れ現象の発生を防止し、もって自立性に優れたブロー容器を創出することを課題とする。
【課題を解決するための手段】
【００１０】
上記課題を解決するための手段のうち、本発明の主たる構成は、
下端を底部で塞いだ筒状の胴部の上端に、肩部を介して円筒状の口筒部が起立連設され、パリソンを用いて形成された合成樹脂製のブロー容器であって、
底部に、底壁の中心部を内方にドーム状に陥没された中央凹部が形成され、この中央凹部内に、成形時に形成されるパーティングラインに沿って延びる縦リブ状のピンチオフ部と、このピンチオフ部の両側面から垂直に両方向に延びる複数の横リブとが設けられると共に、一方向に延びる横リブと他方向に延びる横リブとが互い違いに配置され、
さらに前記中央凹部（８ａ）の外周側に環状の接地部（７）が周設されていることを特徴とする、と云うものである。
【００１１】
上記主たる構成からなるブロー容器では、縦リブ状からなるピンチオフ部の両側面に、複数の横リブを形成すると共に、左右の横リブをピンチオフ部の延びる方向に沿って互い違いに配置することにより、底壁の補強を達成する。
特に、底部の中央に設けたピンチオフ部に、横リブを左右同列に配置した構成では、横リブの裏面に形成される左右の中空部同士が容器内面側で連結して補強の程度を高め難いが、本発明のように互い違いに配置すると、横リブの裏面において左右の中空部同士が互いに連結することがなくなって独立して機能するようになるため、底壁の強化を効果的に達成する。
【００１３】
さらに上記構成では、容器本体の自立性の確保を達成する。
【００１４】
本発明の他の構成は、請求項１記載の発明において、ピンチオフ部及び横リブの突出先端が、底壁と接地部との間に位置するように形成されている、と云うものである。
【００１５】
上記構成では、ピンチオフ部及び横リブが接地部よりも下方に突出する現象の防止を達成する。
【００１６】
また本発明の他の構成は、請求項１又は２記載の発明において、横リブの本数が左右共に３本で構成されている、と云うものである。
【００１７】
横リブの本数は、容器本体の大きさや充填する内容液の特性などを考慮して定められるが、上記構成とすれば、底壁の強度を十分に高めることを達成し得る。
【００１８】
また本発明の他の構成は、請求項１ないし３に記載の発明において、隣接する横リブ間のピッチ寸法が、５ｍｍ以上２０ｍｍ以下の範囲で形成されている、と云うものである。
【００１９】
隣接する横リブ間のピッチ寸法を５ｍｍ未満に設定した場合には底部の成形性ないしは賦形性が悪くなる。また横リブ間のピッチ寸法が２０ｍｍを超えた場合には、ピッチ間隔が長くなりすぎて底壁の補強という横リブとしての機能が低下しやすくなる。
このため、隣接する横リブ間のピッチ寸法を、５ｍｍ以上２０ｍｍ以下の範囲が好ましく、より好ましいピッチ寸法は１０ｍｍ程度である。
【００２０】
また本発明の他の構成は、請求項１ないし４のいずれか一項に記載の発明において、容器本体が、複数の合成樹脂層を有する積層体で形成されると共に、この積層体の一部が、ガスバリア性と遮光性の少なくとも一方を備える合成樹脂層で構成されている、と云うものである。
【００２１】
上記構成では、ガスバリア性と遮光性の一方又は双方を備えたブロー容器を達成し得る。
【発明の効果】
【００２２】
本発明は、上記した構成となっているので、以下に示す効果を奏する。
本発明の主たる構成においては、底壁を効果的に補強することができるため、加熱時の内圧の上昇よる底壁の膨出変形や底割れを防止することができ、これにより自立性に優れたブロー容器を提供することが可能となる。
【００２３】
例えば、コーヒーなどを充填したブロー容器を、ホットウォーマーなど専用の加熱装置内に常設して販売しても、底壁が膨出変形することに起因する容器本体の転倒を防止することができる。しかも従来の金属容器のように、容器本体が熱く成り過ぎて手で掴持できなくなるようなこともない。
【００２４】
また中央凹部の外周側に環状の接地部が周設されていることにより、容器本体を自立させることが可能となる。
【００２５】
また請求項２に記載の、ピンチオフ部及び横リブの突出先端が、底壁と接地部との間に位置するように形成されている構成にあっては、ピンチオフ部及び横リブが接地部よりも下方に突出して容器本体の自立性を妨げることがなくなり、安定的に自立するブロー容器とすることができる。
【００２６】
また請求項３に記載の、横リブの本数が左右共に３本とされている構成にあっては、底壁を確実かつ十分に補強することが可能となる。
【００２７】
また請求項４に記載の、隣接する横リブ間のピッチ寸法が、５ｍｍ以上２０ｍｍ以下の範囲で形成されている構成にあっては、底壁の成形性ないしは賦形性が高まると共に横リブが適度なピッチ寸法で配設され、横リブとしての機能が十分に発揮されるようになるため、膨出変形及び底割れ現象の起きにくいブロー容器とすることができる。
【００２８】
また請求項５に記載の、容器本体が、複数の合成樹脂層を有する積層体で形成されると共に、積層体の一部が、ガスバリア性と遮光性の少なくとも一方を備える合成樹脂層で構成されている構成にあっては、ブロー容器内に充填された内容液の酸化や紫外線等による品質低下（内容液の味落ち）を抑制することができる。
【図面の簡単な説明】
【００２９】
【図１】本発明のブロー容器の実施例を示す正面図である。
【図２】ブロー容器の底面図である。
【図３】ブロー容器の底部を示す斜視図である。
【図４】図２のＩＶ−ＩＶ線で切断すると共に、矢印方向から見た状態を示すブロー容器の底部の拡大断面図である。
【図５】図２のＶ−Ｖ線で切断すると共に、矢印方向（図４とは別方向）から見た状態を示すブロー容器の底部の拡大断面図である。
【発明を実施するための形態】
【００３０】
以下、本発明の実施の形態について図面を参照しつつ説明する。
図１は本発明のブロー容器の実施例を示す正面図、図２はブロー容器の底面図、図３はブロー容器の底部を示す斜視図、図４は図２のＩＶ−ＩＶ線で切断すると共に、矢印方向から見た状態を示すブロー容器の底部の拡大断面図、図５は図２のＶ−Ｖ線で切断すると共に、矢印方向（図４とは別方向）から見た状態を示すブロー容器の底部の拡大断面図である。
【００３１】
本発明に示すブロー容器を構成する容器本体１は、円筒状の口筒部２、口筒部２から拡径状に形成された肩部３、胴部４、および胴部４の下端を塞ぐ底部６を有して構成されている。胴部４の高さ方向の中央には、肩部３及び底部６から胴部４を徐々に縮径させて形成したウエスト部４Ａが設けられている。
【００３２】
この容器本体１は複数の合成樹脂層を積層してなる積層体５により形成されている。より具体的には、図４及び図５に積層体５の一部を抜き出し拡大して示すように、容器本体１の全高さ範囲に亘って外殻を形成する外層５ａと、内側に設けた内層５ｂと、これらの間に設けられて外層５ａと内層５ｂとを接着する接着層５ｃとからなる三層構造で形成されている。
【００３３】
外層５ａは例えばポリエチレン、ポリプロピレン等の合成樹脂材料で形成され、内層５ｂは例えばガスバリア性に優れた特性を発揮するエチレン／ビニルアルコール共重合体樹脂（EVOH）などで形成されている。また接着層５ｃは、例えばアドマー（登録商標）など変性ポリオレフィン系の接着樹脂が用いられる。
【００３４】
なお、本発明の容器本体１を構成する積層体５の内層５ｂはガスバリア性を有する層に限られるものではなく、充填される内容液の特性に応じて例えば遮光性を備える着色樹脂層で構成してもよい。また積層体５は三層構造に限られるものでもなく、例えばガスバリア性を有する層と遮光性を有する着色樹脂層の双方が積層されるなど、さらに多層の構造とすることもできる。
【００３５】
容器本体１は、押出成形した筒状の多層パリソン（積層体５の原形）の一端を金型で挟持し、圧縮空気の吹き込みによるブロー成形（ダイレクトブロー）を施すことによってボトル状の容器となる。この際、共押出成形した多層パリソンの下端部を金型のピンチオフ刃が喰切ることにより、底部６の底壁８に縦リブ状のピンチオフ部９が形成されることになる。なお、容器本体１の表面には、多層パリソンを金型で挟持した時に形成されるパーティングラインＰＬが形成されている。
【００３６】
図３に示すように、底部６は、底壁８を内方に向かってドーム状に陥没形成させた中央凹部８ａと、この中央凹部８ａの周囲に環状に周設された接地部７とを有する。ピンチオフ部９は中央凹部８ａにパーティングラインＰＬに沿って形成され、このピンチオフ部９には両側面から垂直に、互いに逆方向（左右両方向）に沿って平行に延びる複数の横リブ１０が一体に形成されている。なお、このような複数の横リブ１０はブロー成形時の金型によって形成される。
【００３７】
図５に示すように、横リブ１０はスリット状の僅かな隙間１１を隔てて対向配置された２重壁により構成される中空状のリブとして形成されており、中空状とすることにより特に高さ方向に大きな横リブ１０の形成を可能としている。
【００３８】
本実施例に示すブロー容器では、図２に示すようにピンチオフ部９の一方の側面（右側面）に３本の横リブ１０を形成し、同様に他方の側面（左側面）にも３本の横リブ１０を形成して構成されている。そして、一方である右側の各横リブ１０と他方である左側の各横リブ１０とは、直線状に延びるピンチオフ部９の両側に垂直に並設されると共に互い違いに配置されている。この構成では、ピンチオフ部９の右側で隣接する横リブ１０と横リブ１０との間に、左側の横リブ１０を配置されることになる。このため、一方の右側で横リブ１０が形成されておらず物理的に弱くなっている部分（隣接する横リブ１０と横リブ１０との間の部分）を、この間の左側に設けた他方の横リブ１０で補うことが可能となる。
【００３９】
しかも左右の横リブ１０を互い違いに配置する構成を採用することにより、底壁８の裏側において左右の横リブ１０同士が連結することがなくなり、互いに独立して存在するようになる。この構成により、個々の横リブ１０は互いの干渉を受け難くなり、それぞれの機能を十分に発揮できるようになる。
よって、横リブ１０全体の機能が高まることによる底壁８全体の機械的強度を向上させることができる。すなわち。加熱時の内圧の上昇よる底壁８の膨出変形や底割れをより効果的に防止することができる。
【００４０】
さらに本発明では、ピンチオフ部９が延びる方向に沿って隣接する横リブ１０間のピッチ寸法Ｗを、５ｍｍ以上２０ｍｍ以下の範囲内である１０ｍｍに設定している。これにより、複数の横リブ１０を有する底部６の成形性ないしは賦形性を高めることが可能となり、底壁８に形成された横リブ１０の機能が十分に発揮できるようになる。
【００４１】
すなわち、隣接する横リブ１０間のピッチ寸法Ｗが５ｍｍ未満の場合には、複数の横リブ１０を備えた底部６全体の成形性ないしは賦形性が悪くなり、２０ｍｍを越えると、横リブ１０としての機能が発揮され難くなってこの間の底壁８を補強する機能が低下しやすくなるが、横リブ１０を上記範囲内で形成することにより、複数の横リブ１０を設計どおりに形成し、これらの機能を十分に発揮させることが可能となり、加熱時の内圧の上昇による膨出変形や底割れ現象の発生を防止することができるようになる。自立時の安定性に優れたブロー容器とすることができる。
【００４２】
図４及び図５に示すように、ピンチオフ部９及び横リブ１０の下端（突出先端）は、接地部７よりも下方に突出しないように、底壁８と接地部７との間に位置する状態で形成されている。この構成により、接地部７が確実に接地するようになり、容器本体１が自立した時の安定性を高めることができる。
【００４３】
以上、実施例に沿って本発明の構成とその作用効果について説明したが、本発明の実施の形態は上記実施例に限定されるものではない。
例えば上記実施例では、横リブ１０をピンチオフ部９の両側に左右３本ずつ（合計６本）配置した例を示して説明したが、横リブ１０の本数は左右３本以下の構成であっても良いし、左右３本以上の構成であっても良い。なお、横リブ１０の最少本数は左右の一方に２本、他方に１本の計３本構成であり、このような最少本数であっても、横リブ１０を有しない構成に比較し左右のバランスを取りながら底壁８の強化を図ることが可能である。
【産業上の利用可能性】
【００４４】
本発明のブロー容器は、ガスバリア機能や遮光機能が要求されると共に加熱状態で販売される内容液を充填するための合成樹脂製ブロー容器の分野における用途展開をさらに広い領域で図ることができる。
【符号の説明】
【００４５】
１    ；  容器本体
２    ；  口筒部
３    ；  肩部
４    ；  胴部
４Ａ  ；  ウエスト部
５    ；  積層体
５ａ  ；  外層
５ｂ  ；  内層
５ｃ  ；  接着層
６    ；  底部
７    ；  接地部
８    ；  底壁
８ａ  ；  中央凹部
９    ；  ピンチオフ部
１０  ；  横リブ
ＰＬ  ；  パーティングライン
Ｗ  ；  横リブのピッチ寸法
【図１】
0005999545.tif 000002
【図２】
0005999545.tif 000003
【図３】
0005999545.tif 000004
【図４】
0005999545.tif 000005
【図５】
0005999545.tif 000006